(57)【要約】【課題】製品コストを抑えることのできる貯留液体利用装置の提供。【解決手段】空気清浄機は、本体と、タンクと、トレイ５０と、加湿ユニットと、フロート５５と、タンク検知用部材５４と、１つの検知部品と、制御部と、を備える。タンクは、本体に着脱可能に設けられている。トレイ５０は、タンクから供給される液体を貯める。加湿ユニットは、トレイ５０に貯められた液体を利用して所定の運転を行う。フロート５５は、トレイ５０に貯められた液体の液面を検知するためのものである。タンク検知用部材５４は、タンクが本体から取り外されたときに下方に移動する。検知部品は、トレイ５０の液面低下に伴うフロート５５の下方への移動、及びタンク検知用部材５４の下方への移動を検知する。制御部は、検知部品の検知結果に基づき、所定の運転を停止させる。【選択図】図６
2016017651.tif 000002
【特許請求の範囲】
【請求項１】
本体（９０）と、
前記本体に着脱可能に設けられており、前記本体に装着されるタンク（４０）と、
前記タンクから供給される液体を貯める貯留部（５０）と、
前記貯留部に貯められた液体を利用して所定の運転を行う液体利用部（２４）と、
前記貯留部に貯められた液体の液面を検知するためのフロート（５５）と、
前記タンクが前記本体から取り外されたときに下方に移動するタンク検知用部材（５４）と、
前記貯留部の液面低下に伴う前記フロートの下方への移動、及び前記タンク検知用部材の下方への移動を検知する１つの検知部品（６０）と、
前記検知部品の検知結果に基づき、前記所定の運転を停止させる制御部（７０）と、
を備える貯留液体利用装置（１０）。
【請求項２】
前記液体利用部は、加湿エレメント（３０）を含む加湿ユニットであり、
前記所定の運転は、前記加湿エレメントが回転する加湿運転である、
請求項１に記載の貯留液体利用装置。
【請求項３】
前記本体から前記タンクが取り外されたときに、前記タンク検知用部材は前記フロートを押し下げる、
請求項１又は２に記載の貯留液体利用装置。
【請求項４】
前記タンク検知用部材は、
前記貯留部に回動可能に支持されている回転部材（１５０）と、
前記本体から前記タンクが取り外された状態で、前記フロートを押し下げるように付勢する付勢部材と、
を含む、
請求項１から３のいずれか１項に記載の貯留液体利用装置。
【発明の詳細な説明】
【技術分野】
【０００１】
本発明は、タンクから供給される液体を貯める貯留部を備える貯留液体利用装置に関する。
【背景技術】
【０００２】
従来より、例えば特許文献１（特開２００６−０４３６５８号公報）のように、液体を貯めるためのタンクが、本体に着脱可能に設けられている貯留液体利用装置がある。この貯留液体利用装置としての除湿機では、タンク内が満水になった場合に、タンクが本体から取り外され、その後タンクが本体に装着されるまでの間、除湿運転が停止されるように構成されている。
【発明の概要】
【発明が解決しようとする課題】
【０００３】
ところで、特許文献１では、タンク内に貯められた液体が満水であるか否かを検出するセンサと、タンクが本体に装着されているか否かを検出するセンサとが別々に設けられている。このように、本体からタンクを着脱可能な装置では、複数のセンサが用いられることで製品コストが増加してしまう。
【０００４】
そこで、本発明の課題は、製品コストを抑えることのできる貯留液体利用装置を提供することにある。
【課題を解決するための手段】
【０００５】
本発明の第１観点に係る貯留液体利用装置は、本体と、タンクと、貯留部と、液体利用部と、フロートと、タンク検知用部材と、１つの検知部品と、制御部と、を備える。タンクは、本体に着脱可能に設けられている。タンクは、本体に装着される。貯留部は、タンクから供給される液体を貯める。液体利用部は、貯留部に貯められた液体を利用して所定の運転を行う。フロートは、貯留部に貯められた液体の液面を検知するためのものである。タンク検知用部材は、タンクが本体から取り外されたときに下方に移動する。検知部品は、貯留部の液面低下に伴うフロートの下方への移動、及びタンク検知用部材の下方への移動を検知する。制御部は、検知部品の検知結果に基づき、所定の運転を停止させる。
【０００６】
本発明の第１観点に係る貯留液体利用装置では貯留部の液面低下に伴うフロートの下方への移動及びタンク検知用部材の下方への移動が１つの検知部品によって検知され、この検知結果に基づいて液体利用部の所定の運転が停止される。このため、貯留部の液面低下に伴うフロートの下方への移動を検知する検知部品と、タンク検知用部材の下方への移動を検知する検知部品とが別々に備えられている場合と比較して、部品点数を削減することができる。
【０００７】
これによって、製品コストを抑えることができる。
【０００８】
本発明の第２観点に係る貯留液体利用装置は、第１観点の貯留液体利用装置において、液体利用部は、加湿エレメントを含む加湿ユニットである。そして、所定の運転は、加湿エレメントが回転する加湿運転である。
【０００９】
ここで、タンクが取り外されることで加湿エレメントが露出するような構造である場合、タンクが取り外されても加湿エレメントが回転していると、加湿エレメントにユーザーの指等が接触して、ユーザーが怪我をするおそれがある。
【００１０】
本発明の第２観点に係る貯留液体利用装置では、検知部品によるタンク検知用部材の検知結果に基づき加湿エレメントの回転が停止されるため、タンクが取り外されることで加湿エレメントが露出するような構造であっても、ユーザーが怪我をするおそれを抑制することができる。
【００１１】
本発明の第３観点に係る貯留液体利用装置は、第１観点又は第２観点の貯留液体利用装置において、本体からタンクが取り外されたときに、タンク検知用部材がフロートを押し下げる。このため、検知部品は、フロートの上下移動だけを検知することで、タンクの着脱に伴うタンク検知用部材の下方への移動を検知することができる。
【００１２】
本発明の第４観点に係る貯留液体利用装置は、第１観点から第３観点のいずれかの貯留液体利用装置において、タンク検知用部材は、回転部材と、付勢部材と、を含む。回転部材は、貯留部に回動可能に支持されている。付勢部材は、本体からタンクが取り外された状態で、フロートを押し下げるように付勢する。このため、この貯留液体利用装置では、簡易な構成でフロートを押し下げることができる。
【発明の効果】
【００１３】
本発明の第１実施形態に係る貯留液体利用装置では、製品コストを抑えることができる。
【００１４】
本発明の第２実施形態に係る貯留液体利用装置では、ユーザーが怪我をするおそれを抑制することができる。
【００１５】
本発明の第３実施形態に係る貯留液体利用装置では、検知部品は、フロートの上下移動だけを検知することで、タンクの着脱に伴うタンク検知用部材の下方への移動を検知することができる。
【００１６】
本発明の第４実施形態に係る貯留液体利用装置では、簡易な構成でフロートを押し下げることができる。
【図面の簡単な説明】
【００１７】
【図１】空気清浄機の断面図。
【図２】加湿エレメント及びトレイの斜視図。
【図３】トレイ及び加湿エレメントをトレイ側から視た図。
【図４】加湿室の断面図。
【図５】加湿室の断面図。
【図６】タンクが本体から取り外された状態のトレイのタンク受け部の断面図。
【図７】タンク検知用部材の斜視図。
【図８】フロート及び検知部品を説明するための図。
【図９】空気清浄機の備える制御部の制御ブロック図。
【発明を実施するための形態】
【００１８】
以下図面を参照しながら、本発明の一実施形態に係る貯留液体利用装置としての加湿機能付空気清浄機１０について説明する。なお、以下の実施形態は、本発明の具体例であって、本発明の技術的範囲を限定するものではない。
【００１９】
（１）空気清浄機１０の全体構成
以下図面を参照しながら、本発明の第１実施形態について説明する。なお、以下の実施形態は、本発明の具体例であって、本発明の技術的範囲を限定するものではない。
【００２０】
図１は、空気清浄機１０の断面図である。図１において、空気清浄機１０は、本体９０を備えている。本体９０は、四角柱状のケーシング１１を含む。ケーシング１１の内部には、吸込口１３からケーシング１１の天面に設けられている吹出口１２に至る空気流路が形成されている。空気流路内にはファン２８が配置されており、ファン２８は吸込口１３から吸い込まれて吹出口１２から吹き出される空気流れを生成する。
【００２１】
また、空気清浄機１０は加湿機能と空気清浄機能とを有する。そして、ユーザーは、空気清浄機能だけを選択することができるが、加湿機能を選択したときは空気清浄機能が伴う。
【００２２】
（２）詳細構成
（２−１）ケーシング１１
ケーシング１１は、送風室１１ａ、空気清浄室１１ｂ、加湿室１１ｃを有しており、それらは下方から上方に向かって送風室１１ａ、空気清浄室１１ｂ、加湿室１１ｃの順に並んでいる。つまり、ケーシング１１は縦に延びる形状となるので、設置面積が小さくなる。
【００２３】
送風室１１ａには、ファン２８が配置されている。空気清浄室１１ｂには、空気清浄フィルタ２２が配置されている。加湿室１１ｃには、加湿ユニット２４が配置されている。つまり、メンテナンスを要する加湿エレメント３０が上に位置するので、メンテナンス作業が容易になる。なお、加湿ユニット２４の有するタンク４０は、ケーシング１１の４側面から着脱可能となっている。
【００２４】
また、送風室１１ａと空気清浄室１１ｂとの間には第１開口１４が設けられている。第１開口１４は、送風室１１ａから空気清浄室１１ｂへ空気を通す。さらに、空気清浄室１１ｂと加湿室１１ｃとの間には第２開口１５が設けられている。第２開口１５は、空気清浄室１１ｂから加湿室１１ｃへ空気を通す。
【００２５】
（２−２）ファン２８
ファン２８は、風量を変更可能なシロッコファンであって、ファンロータ２５、スクロール２７、及びファンモータ２６を含んでいる。ファンロータ２５は、図１に示すように、複数の羽根２５ａを有する。そして、羽根２５ａが回転することによって、空気が回転軸方向に沿って吸い込まれ、羽根２５ａから遠心方向に吹き出される。
【００２６】
スクロール２７は、羽根２５ａから吹き出された空気をファンロータ２５の上方に位置するファン吹出口へ導くための風路を形成している。ファン吹出口は送風室１１ａと空気清浄室１１ｂとの間の第１開口１４に嵌合しているので、ファン吹出口から吹き出た空気は空気清浄室１１ｂに入る。
【００２７】
（２−３）空気清浄フィルタ２２
空気清浄フィルタ２２は、空気に含まれる塵埃を除去するためのものであって、本実施形態では、フィルタ及び脱臭エレメントで構成されている。そして、空気清浄室１１ｂ内では、空気流れの上流側からフィルタ、脱臭エレメントの順でそれらが保持されている。フィルタは、微細な埃などを除去する。脱臭エレメントは、空気に含まれる不快な臭いの成分を吸収する。
【００２８】
なお、空気清浄室１１ｂ内に配備される空気清浄フィルタ２２とは別に、プレフィルタが、送風室１１ａに設置されたファン２８の吸込口に取り付けられている。具体的には、ファン２８の吸込口のケーシングが、着脱可能なプレフィルタになっている。このプレフィルタは、薄くて柔らかい樹脂製のネットであり、空気に含まれる粒子の大きな埃などを除去する。
【００２９】
（２−４）加湿ユニット２４
図２は、加湿エレメント３０及びトレイ５０の斜視図である。図３は、加湿エレメント３０及びタンク４０の断面図である。
【００３０】
加湿ユニット２４は、貯留部としてのトレイ５０に貯められた液体を利用して所定の運転を行う液体利用部としての加湿エレメント３０と、加湿エレメント３０を回転駆動させる駆動部３５と、を備える。加湿ユニット２４は、タンク４０から供給された水を気化させることで、空気を加湿する。
【００３１】
加湿エレメント３０は、トレイ５０の上方に配置されている。加湿エレメント３０は、タンク４０から供給された水を吸収する吸水部材３１と、吸水部材３１の外周を囲んで保持するフレーム３２とを含む。加湿エレメント３０は、円盤形状を呈している。そして、駆動部３５の有するモータ３５ａからの回転力が伝達されることで、回転軸３３を中心として所定方向に回転する。
【００３２】
また、フレーム３２は、その最下点がトレイ５０の底面と近接するように配置されている。トレイ５０にはタンク４０から水が供給され、タンク４０内に水がある限り、その水位は底面から所定の高さ位置となるように自動的に調整される。フレーム３２は、その最下点から鉛直上方に向かって一定範囲は水中に浸漬しており、浸漬していない部分も、加湿エレメント３０が回転することによって、順次、浸漬する。また、フレーム３２の側面内側には、複数のカップ状の水汲み（図示せず）が設けられている。水汲みは、加湿エレメント３０の回転に伴ってトレイ５０の水を汲み上げ、加湿エレメント３０の最上点近傍で内部の水が吸水部材３１に向かって流れ出るようになっている。
【００３３】
（２−５）タンク４０
図４は、加湿室１１ｃの断面図である。タンク４０は、本体９０に着脱可能に設けられており、通常の使用時には本体９０に装着される。タンク４０は、空気清浄フィルタ２２及び加湿エレメント３０よりも空気流れ下流側に配置されている。タンク４０は、水を貯留可能なタンク本体４１と、蓋部４２とを有している。
【００３４】
タンク本体４１には注水口４１ａが設けられており、ユーザーは、注水口４１ａから水を注ぎ入れることで、タンク本体４１の内部に水を貯留することができる。
【００３５】
蓋部４２は、タンク本体４１の注水口４１ａを開閉可能に構成されている。蓋部４２には、給水弁４２ａが取り付けられる。給水弁４２ａの構造は、弁体をバネによって弁口に押し付ける一般的な構造であるので、ここでは詳細な説明を省略する。
【００３６】
そして、通常の使用状態では、タンク４０は蓋部４２が下方になるようにトレイ５０のタンク受け部５１上に載っており、給水弁４２ａが鉛直下方に向けられた状態でトレイ５０の押し込みピン５１ａに押し当てられる。そして、タンク４０自身の重みによって押し込みピン５１ａが給水弁４２ａを開状態にすることで、タンク本体４１からタンク受け部５１に水が流出する。
【００３７】
（２−６）トレイ５０
図５は、加湿室１５ｃの断面図である。図６は、タンク４０が本体９０から取り外された状態のトレイ５０のタンク受け部５１の断面図である。図７は、タンク検知用部材５４の斜視図である。図８（ａ）は、フロート５５が下方に移動していない状態、すなわち水に浮いている状態を示した図である。図８（ｂ）は、フロート５５が下方に移動した状態を示した図である。
【００３８】
貯留部としてのトレイ５０は、タンク４０から供給される液体を貯めるための部分である。トレイ５０は、タンク４０をケーシング１１から取り出した後に、ケーシング１１の一側面側から加湿エレメント３０と共に引き出すことができる。トレイ５０は、タンク受け部５１と、水受け部５２と、フロート５５と、タンク検知用部材５４と、を有している。タンク受け部５１には、タンク４０が装着される。タンク受け部５１には、押し込みピン５１ａが設けられている。押し込みピン５１ａは、タンク４０が自重で降下したときに給水弁４２ａにあたって、給水弁４２ａを押し開ける。
【００３９】
水受け部５２には、加湿エレメント３０を浸漬させるための水が貯留される。水受け部５２とタンク受け部５１とは隣接しており、隔壁５３で仕切られている。なお、本実施形態では、水受け部５２とタンク受け部５１とが加湿エレメント３０の回転軸方向に隣接して配置されている。そして、タンク受け部５１が水受け部５２よりもトレイ５０の引き出し方向手前側に配置されている。また、隔壁５３は、加湿エレメント３０をタンク受け部５１側から視た図３に示すように、タンク４０からタンク受け部５１に流れ出た水が水受け部５２に流れるように、その一部が切り欠かれている。なお、タンク４０からタンク受け部５１に流れ出た水は、この切り欠き５３ａを通って水受け部５２に流れ、水受け部５２が所定水位まで水で満たされる。
【００４０】
フロート５５は、トレイ５０に貯められた液体の液面を検知するためのものであって、トレイ５０の水受け部５２内に配置されており、水受け部５２内に溜められた水に浮くことができる。また、フロート５５は、一方の端部５５ａが水受け部５２内に支持軸５６で回動可能に支持されており、水受け部５２内に溜められた水の水位に応じて、支持軸５６を中心に回動する。このため、フロート５５において、支持軸５６で支持されている端部５５ａとは反対側の端部５５ｂが、水受け部５２内に溜められた水の水位に応じて、上下方向に移動することとなる（図８参照）。
【００４１】
タンク検知用部材５４は、タンク４０が本体９０から取り外されたときに下方に移動する部品である。本実施形態のタンク検知用部材５４は、図６に示すように、タンク４０が取り外されたときに、フロート５５を押し下げるように構成されている。タンク検知用部材５４は、回転軸１５３を中心としてトレイ５０に回動可能に支持されている回転部材１５０と、本体９０からタンク４０が取り外された状態でフロート５５を押し下げるように付勢する付勢部材としてのバネ（図示せず）と、を有する。
【００４２】
回転部材１５０は、フロート５５を押し下げるための押し下げ部１５１と、タンク４０の自重を受ける自重受け部１５２と、を含む。押し下げ部１５１と自重受け部１５２とは、回転軸１５３を挟んで回転軸１５３の延びる方向に直交する方向に離れて位置している。バネは、回転軸１５３を中心として押し下げ部１５１が下方に向かいかつ自重受け部１５２が上方に向かう方向に回転部材１５０が回動するように、例えば、その一端がトレイ５０に固定されており、他端が回転軸１５３に固定されている。そして、本実施形態では、バネの付勢力によって押し下げ部１５１が下方に向かうように回転部材１５０が回転することで押し下げ部１５１の位置が下がり、押し下げ部１５１の下部でフロート５５を押し下げる。一方、タンク４０が本体９０に装着されている場合には、自重受け部１５２の上部がタンク４０に当接し自重受け部１５２がタンク４０の自重を受けることで、バネの付勢力に打ち勝って押し下げ部１５１の位置が下がらないように回転部材１５０が回動する。すなわち、タンク検知用部材５４は、タンク４０が本体９０から取り外されたときのみ下方に移動する。なお、本実施形態では、タンク４０が本体９０に装着されている場合には、タンク検知用部材５４は、その全体が所定水位よりも上方に位置するように配置されている。そして、タンク検知用部材５４は、タンク４０が本体９０から取り外された際に、押し下げ部１５１が所定水位よりも下方に位置するように構成されている。すなわち、付勢部材は、トレイ５０内に貯められた水に浸からない構成になっている。
【００４３】
（２−７）検知部品６０
検知部品６０は、図８に示すように、フロート５５の移動に伴って移動する被検知体６１と、ケーシング１１の所定位置に固定されている検知素子６２とを有する。被検知体６１は、磁石であって、フロート５５の端部に固定されている。そして、フロート５５の端部の位置が変化することで、検知素子６２に対する被検知体６１の位置が変化する。検知素子６２は、被検知体６１からの距離に依拠して被検知体６１の検知を行うリードスイッチであって、被検知体６１からの磁界の影響を受けてオン・オフする接点部（図示せず）を含む。検知素子６２は、トレイ５０が本体９０に収納され、かつタンク４０が本体９０に装着された状態で、フロート５５が水に浮いた状態にある場合（図８（ａ）参照）には、被検知体６１を検知可能であり、フロート５５の端部５５ｂが下がった状態にある場合（図８（ｂ）参照）には被検知体６１を検知できない位置に配置されている。さらに、本実施形態では、検知素子６２は、トレイ５０が本体９０に収納されていない状態である場合には、被検知体６１を検知できない位置に配置されるように設計されている。すなわち、本実施形態の検知部品６０は、一組の被検知体６１及び検知素子６２によって、トレイ５０の液面低下に伴うフロート５５の下方への移動及びタンク検知用部材５４の下方への移動を検知することができる。なお、図８では、検知素子６２が、被検知体６１を検知可能な領域の境界部分を一点鎖線で示している。
【００４４】
このような構成によって、検知素子６２は、被検知体６１を検知可能な距離（領域内）に被検知体６１がある場合にはオン信号を制御部７０に送信し、被検知体６１を検知可能な距離（領域内）に被検知体６１がない場合にはオフ信号を制御部７０に送信する。
【００４５】
（２−８）制御部７０
図９は、空気清浄機１０の備える制御部７０の制御ブロック図である。制御部７０は、空気清浄機１０の備える各種機器を制御するためのユニットである。制御部７０は、図９に示すように、検知部品６０、ファンモータ２６及びモータ３５ａと電気的に接続されている。そして、制御部７０は、ユーザーから入力される運転指令に基づいて、ファンモータ２６及びモータ３５ａの駆動制御を行うことで、ファン２８及び加湿エレメント３０の駆動を制御する。
【００４６】
また、制御部７０は、検知部品６０の検知結果に基づいて、加湿ユニット２４の駆動を制御する。具体的には、検知素子６２から送信されるオン・オフ信号に基づいて、加湿ユニット２４の回転する加湿運転の実行が可能か否かを判断する。
【００４７】
制御部７０は、加湿運転を実行する際に、検知素子６２からオン信号が送信されている場合には、加湿運転可能状態にあると判断し、モータ３５ａを駆動させる。一方で、制御部７０は、第１所定時間（例えば、５秒）以上継続して、検知素子６２からオン信号が送信されない場合、すなわち、第１所定時間以上継続して検知素子６２からオフ信号が送信される場合には、トレイ５０内の水の水位が所定水位にない状態及びタンク４０が本体９０から取り外された状態のいずれかの状態（以下、加湿運転不可状態という）にあると判断する。そして、制御部７０は、加湿運転不可状態にあると判断した場合には、モータ３５ａの駆動を停止することで、加湿エレメント３０の回転を停止させ、加湿運転を停止する。すなわち、制御部７０は、１つの検知部品６０の検知結果に基づいて、加湿運転を停止する。
【００４８】
また、制御部７０は、加湿運転不可状態にあると判断した場合には、報知部９１を制御することで、トレイ５０内の水の水位が所定水位にない状態にある可能性のあること、すなわちタンク４０内への水の補充が必要なことをユーザー対して報知する。
【００４９】
（３）特徴
（３−１）
本実施形態では、トレイ５０の液面低下に伴うフロート５５の下方への移動及びタンク検知用部材５４の下方への移動が１つの検知部品６０によって検知され、この検知結果に基づいて加湿ユニット２４の所定の運転が停止される。このため、トレイ５０の液面低下に伴うフロート５５の下方への移動と、タンク検知用部材５４の下方への移動とが別々の検知部品によって検知される場合と比較して、部品点数を削減することができる。
【００５０】
これによって、製品コストを抑えることができている。
【００５１】
（３−２）
ところで、本実施形態ように、タンク４０が取り外されることで加湿エレメント３０が露出するような構造である場合、タンク４０が取り外されても加湿エレメント３０が回転していると、加湿エレメント３０にユーザーの指等が接触して、ユーザーが怪我をするおそれがある。
【００５２】
本実施形態では、タンク検知用部材５４の下方への移動が検知部品６０によって検知され、この検知結果に基づいて加湿エレメント３０の回転が停止される。このため、タンク４０が取り外されることで加湿エレメント３０が露出するような構造であっても、ユーザーが怪我をするおそれを抑制することができている。
【００５３】
（３−３）
本実施形態では、タンク検知用部材５４は、本体９０からタンク４０が取り外されたときに、フロート５５を押し下げるように構成されている。このため、検知部品６０は、フロート５５の上下移動だけを検知することで、タンク４０の着脱に伴うタンク検知用部材５４の下方への移動を検知することができている。
【００５４】
また、本実施形態では、タンク４０が取り外されることで、タンク検知用部材５４によってフロート５５が強制的に押し下げられる構成であるため、トレイ５０に所定水位の水がある状態であっても、タンク４０が本体９０に装着されていないことを検知することができる。
【００５５】
（３−４）
本実施形態では、付勢部材としてのバネによって、本体９０からタンク４０が取り外された状態でフロート５５を押し下げるように回転部材１５０が付勢される。このように、簡易な構成によって、フロート５５を押し下げることができている。
【００５６】
（４）変形例
（４−１）変形例Ａ
上記実施形態では、貯留液体利用装置として加湿ユニット２４を備える空気清浄機１０を例としてあげている。これに代えて、例えば、石油ストーブなど、本体に着脱可能に設けられているタンクと、タンクから供給される液体を貯めるための貯留部と、貯留部に貯められた液体を利用して所定の運転を行う貯留液体利用部と、を備えており、貯留部に貯められた液体を検知する必要があり、かつ、タンクの着脱を検知する必要のある装置であれば、本発明を適用することができる。
【００５７】
（４−２）変形例Ｂ
上記実施形態では、タンク検知用部材５４は、タンク４０が本体９０から取り外されたときにフロート５５を下方に移動させている。
【００５８】
しかしながら、タンク検知用部材は、タンク４０が本体９０から取り外されたときに下方に移動することで、その下方への移動が検知部品６０によって検知されるものであれば、上記実施形態に限定されない。例えば、タンク検知用部材が、フロート５５を下方に押し下げるようなものではなく、タンク４０が本体９０から取り外されたときに下方に移動するようなものであってもよい。
【産業上の利用可能性】
【００５９】
本発明は、本体に着脱可能に設けられているタンクと、タンクから供給される液体を貯めるための貯留部と、貯留部に貯められた液体を利用して所定の運転を行う貯留液体利用部と、を備えており、貯留部に貯められた液体を検知する必要があり、かつ、タンクの着脱を検知する必要のある装置への適用が有効である。
【符号の説明】
【００６０】
１０      空気清浄機（貯留液体利用装置）
２４      加湿ユニット（液体利用部）
３０      加湿エレメント
４０      タンク
５０      トレイ（貯留部）
５４      検知用部材
５５      フロート
６０      検知部品
７０      制御部
９０      本体
１５０      回転部材
【先行技術文献】
【特許文献】
【００６１】
【特許文献１】特開２００６−０４３６５８号公報
【図１】
2016017651.tif 000003
【図２】
2016017651.tif 000004
【図３】
2016017651.tif 000005
【図４】
2016017651.tif 000006
【図５】
2016017651.tif 000007
【図６】
2016017651.tif 000008
【図７】
2016017651.tif 000009
【図８】
2016017651.tif 000010
【図９】
2016017651.tif 000011